【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
画像情報を出力する画像出力装置であって、
仮想的な画面である仮想画面に係る画像情報を生成する画面生成部と、
当該画像出力装置に接続された前記表示装置を検出する検出部と、
入力操作が行われる操作部と、
前記操作部に対して、前記検出部にて検出された前記表示装置と、前記仮想画面とを関連付けるための入力操作が行われると、当該入力操作に基づいて、前記検出部にて検出された前記表示装置と、前記仮想画面とを関連付けて、関連付けがされた前記仮想画面に係る画像情報を、関連付けがされた前記表示装置に出力可能とする関連付け部とを備えることを特徴とする画像出力装置。
【請求項２】
請求項１に記載の画像出力装置において、
前記画像生成部は、複数の前記仮想画面に係る画像情報を生成し、
当該画像出力装置は、
画像情報に基づく画像を表示する表示部と、
前記画像生成部にて生成された複数の前記仮想画面を前記表示部に表示させる表示制御部とを備えることを特徴とする画像出力装置。
【請求項３】
請求項２に記載の画像出力装置において、
前記表示制御部は、前記表示部に表示される複数の前記仮想画面のうち、前記表示装置との関連付けがされた仮想画面に係る画像情報の情報量を、当該表示装置に出力される画像情報の情報量と比較して低減させることを特徴とする画像出力装置。
【請求項４】
請求項２または請求項３に記載の画像出力装置において、
前記表示制御部は、複数の前記仮想画面のうち、いずれか１つの仮想画面を前記表示部における表示領域の全体に表示させるとともに、複数の前記仮想画面を前記表示部における表示領域の一部に縮小して表示させることを特徴とする画像出力装置。
【請求項５】
請求項４に記載の画像出力装置において、
前記表示制御部は、前記表示領域の一部に縮小して表示させた複数の前記仮想画面のうち、前記表示領域の全体に表示させた仮想画面に応じた画像を所定のパターン画像とすることを特徴とする画像出力装置。
【請求項６】
請求項４または請求項５に記載の画像出力装置において、
前記操作部に対して、前記関連付け部にて前記表示装置と関連付けられた前記仮想画面を消去する入力操作が行われると、前記表示制御部は、当該入力操作に応じた前記仮想画面を前記表示領域から消去することを特徴とする画像出力装置。
【請求項７】
画像情報を出力する画像出力装置の制御方法であって、
仮想的な画面である仮想画面に係る画像情報を生成する画面生成ステップと、
前記画像出力装置に接続された前記表示装置を検出する検出ステップと、
前記検出ステップにて検出された前記表示装置と、前記仮想画面とを関連付けるための入力操作が行われると、当該入力操作に基づいて、前記検出ステップにて検出された前記表示装置と、前記仮想画面とを関連付けて、前記仮想画面に係る画像情報を前記表示装置に出力可能とする関連付けステップとを含むことを特徴とする制御方法。
【請求項８】
画像情報を出力する画像出力装置の制御プログラムであって、
前記画像出力装置に、
仮想的な画面である仮想画面に係る画像情報を生成する画面生成ステップと、
前記画像出力装置に接続された前記表示装置を検出する検出ステップと、
前記検出ステップにて検出された前記表示装置と、前記仮想画面とを関連付けるための入力操作が行われると、当該入力操作に基づいて、前記検出ステップにて検出された前記表示装置と、前記仮想画面とを関連付けて、前記仮想画面に係る画像情報を前記表示装置に出力可能とする関連付けステップとを実行させることを特徴とする制御プログラム。
【手続補正２】
【補正対象書類名】明細書
【補正対象項目名】０００６
【補正方法】変更
【補正の内容】
【０００６】
本発明の画像出力装置は、画像情報を出力する画像出力装置であって、仮想的な画面である仮想画面に係る画像情報を生成する画面生成部と、当該画像出力装置に接続された前記表示装置を検出する検出部と、入力操作が行われる操作部と、前記操作部に対して、前記検出部にて検出された前記表示装置と、前記仮想画面とを関連付けるための入力操作が行われると、当該入力操作に基づいて、前記検出部にて検出された前記表示装置と、前記仮想画面とを関連付けて、関連付けがされた前記仮想画面に係る画像情報を、関連付けがされた前記表示装置に出力可能とする関連付け部とを備えることを特徴とする。
【手続補正３】
【補正対象書類名】明細書
【補正対象項目名】０００７
【補正方法】変更
【補正の内容】
【０００７】
このような構成によれば、画像出力装置は、検出部にて検出された表示装置、すなわち画像出力装置に接続された表示装置と、仮想画面とを関連付けるための入力操作が操作部に対して行われると、当該入力操作に基づいて、画像出力装置に接続された表示装置と、仮想画面とを関連付けて、当該仮想画面に係る画像情報を表示装置に出力可能とする関連付け部を備える。したがって、使用者は、操作部に対する入力操作を行うことで所望の表示装置に対して所望の画面を容易に表示させることができる。
【手続補正４】
【補正対象書類名】明細書
【補正対象項目名】０００８
【補正方法】変更
【補正の内容】
【０００８】
本発明では、前記画像生成部は、複数の前記仮想画面に係る画像情報を生成し、当該画像出力装置は、画像情報に基づく画像を表示する表示部と、前記画像生成部にて生成された複数の前記仮想画面を前記表示部に表示させる表示制御部とを備えることが好ましい。
このような構成によれば、画像出力装置は、画面生成部にて生成される各仮想画面を表示部に表示させる表示制御部を備えるので、当該画像出力装置の使用者は、表示部を見ることで各仮想画面がどのような画面であるかを確認することができる。
【手続補正５】
【補正対象書類名】明細書
【補正対象項目名】０００９
【補正方法】変更
【補正の内容】
【０００９】
本発明では、前記表示制御部は、前記表示部に表示される複数の前記仮想画面のうち、前記表示装置との関連付けがされた仮想画面に係る画像情報の情報量を、当該表示装置に出力される画像情報の情報量と比較して低減させることが好ましい。
このような構成によれば、表示部に表示される各仮想画面に係る画像情報の情報量を、各表示装置に出力される画像情報の情報量と同じにする場合と比較して、画像表示装置にかかる負荷を低減させることができる。
【手続補正６】
【補正対象書類名】明細書
【補正対象項目名】００１０
【補正方法】変更
【補正の内容】
【００１０】
本発明では、前記表示制御部は、複数の前記仮想画面のうち、いずれか１つの仮想画面を前記表示部における表示領域の全体に表示させるとともに、複数の前記仮想画面を前記表示部における表示領域の一部に縮小して表示させることが好ましい。
【手続補正７】
【補正対象書類名】明細書
【補正対象項目名】００１２
【補正方法】変更
【補正の内容】
【００１２】
本発明では、前記表示制御部は、前記表示領域の一部に縮小して表示させた複数の前記仮想画面のうち、前記表示領域の全体に表示させた仮想画面に応じた画像を所定のパターン画像とすることが好ましい。
【手続補正８】
【補正対象書類名】明細書
【補正対象項目名】００１３
【補正方法】変更
【補正の内容】
【００１３】
ここで、使用者は、表示部における表示領域の全体に表示させた仮想画面については、表示部における表示領域の一部に縮小して表示させた各仮想画面を見ることなく、表示部における表示領域の全体を見ることで確認することができる。
したがって、本発明によれば、表示制御部は、表示部における表示領域の一部に縮小して表示させた各仮想画面のうち、表示部における表示領域の全体に表示させた仮想画面に応じた画像を所定のパターン画像（例えば、全画素を黒色とした画像）とすることで、画像表示装置にかかる負荷を低減させることができる。
【手続補正９】
【補正対象書類名】明細書
【補正対象項目名】００１４
【補正方法】変更
【補正の内容】
【００１４】
本発明では、前記操作部に対して、前記関連付け部にて前記表示装置と関連付けられた前記仮想画面を消去する入力操作が行われると、前記表示制御部は、当該入力操作に応じた前記仮想画面を前記表示領域から消去することが好ましい。
【手続補正１０】
【補正対象書類名】明細書
【補正対象項目名】００１５
【補正方法】変更
【補正の内容】
【００１５】
ここで、使用者は、画像出力装置に接続された表示装置、及び仮想画面が関連付け部にて関連付けられた後は、表示部における表示領域の一部に縮小して表示させた仮想画面を確認しなくてもよい場合がある。
本発明によれば、使用者は、操作部に対する入力操作を行うことで、関連付け部にて表示装置に関連付けられた仮想画面を消去することができる。したがって、画像表示装置にかかる負荷を更に低減させることができる。
【手続補正１１】
【補正対象書類名】明細書
【補正対象項目名】００１６
【補正方法】変更
【補正の内容】
【００１６】
本発明の制御方法は、画像情報を出力する画像出力装置の制御方法であって、仮想的な画面である仮想画面に係る画像情報を生成する画面生成ステップと、前記画像出力装置に接続された前記表示装置を検出する検出ステップと、前記検出ステップにて検出された前記表示装置と、前記仮想画面とを関連付けるための入力操作が行われると、当該入力操作に基づいて、前記検出ステップにて検出された前記表示装置と、前記仮想画面とを関連付けて、前記仮想画面に係る画像情報を前記表示装置に出力可能とする関連付けステップとを含むことを特徴とする。
このような構成によれば、前述した画像出力装置と同様の作用効果を奏することができる。
【手続補正１２】
【補正対象書類名】明細書
【補正対象項目名】００１７
【補正方法】変更
【補正の内容】
【００１７】
本発明の制御プログラムは、画像情報を出力する画像出力装置の制御プログラムであって、前記画像出力装置に、仮想的な画面である仮想画面に係る画像情報を生成する画面生成ステップと、前記画像出力装置に接続された前記表示装置を検出する検出ステップと、前記検出ステップにて検出された前記表示装置と、前記仮想画面とを関連付けるための入力操作が行われると、当該入力操作に基づいて、前記検出ステップにて検出された前記表示装置と、前記仮想画面とを関連付けて、前記仮想画面に係る画像情報を前記表示装置に出力可能とする関連付けステップとを実行させることを特徴とする。
このような構成によれば、前述した画像出力装置と同様の作用効果を奏することができる。